(57)【特許請求の範囲】
【請求項１】
フレキシブルなカーテンを巻き取る巻き上げシャフトを有する商品取扱ドアのための多機能ブラケットであって、
壁に対して垂直なラディアルブランチ（１２、１１２）と、壁に当てられるフェースブランチ（１３、１１３）とを有し、
当該ラディアルブランチ（１２、１１２）は、
前記巻き上げシャフトのベアリングを保持するための補強材（２４、１２４）と、
前記カーテンを滑り溝にガイドする２つの突起（４４および４５、１４４および１４５）と、
前記２つの突起の上方に設けられた２つの再挿入ガイド（４６および４７、１４６および１４７）と、を有し、
前記ラディアルブランチは、前記補強材と、前記２つの突起と、２つの再挿入ガイドとが一体に構成されていることを特徴とするブラケット。
【請求項２】
前記ラディアルブランチ（１２、１１２）は、ブラケットを滑り溝または支柱に固定することができるタブ（２６、１２７）を有することを特徴とする請求項１に記載のブラケット。
【請求項３】
前記ラディアルブランチ（１２、１１２）は、前記補強材（２４、１２４）内に開口するスロット（２３、１２３）を有することを特徴とする請求項１または２に記載のブラケット。
【請求項４】
前記ラディアルブランチ（１２、１１２）は、エッジに設けられた２つのストリップ（２１、２２）によってカバーを取り付けることができることを特徴とする請求項１〜３のいずれか一項に記載のブラケット。
【請求項５】
前記ラディアルブランチ（１２、１１２）は、前記シャフトが壊れた場合に当該シャフトを支えることができる留め部材（２５、１２５）を有することを特徴とする請求項１〜４のいずれか一項に記載のブラケット。
【請求項６】
前記留め部材（１２５）は、前記シャフトを回転させないようにすることができるキャッチ（１２６）を有することを特徴とする請求項５に記載のブラケット。
【発明の詳細な説明】
【０００１】
本発明は、商品取扱ドアに関する。
【０００２】
「商品取扱ドア」とは、倉庫、工場、商店、格納庫などに設置され、異なる空間同士の間、あるいは外部との連絡を可能とするとともに、こうした空間同士の間で、あるいは空間から外部に対し、熱や騒音が漏れないようするドアを示す語である。このようなドアは、壁に設けられた開口部の開閉を可能とするものだが、開いている間は熱や騒音が漏れ出てしまうので、開閉は素早く行われなければならない。こうしたドアは、一般に、２本の支柱の間で上下動するよう設置されたパネルを有する。また、巻き取り型あるいは折り畳み型のカーテンを、開口部の頂上、または開口部両側面のいずれか一方に備える構成も一般的である。また、カーテンについては、１枚のフレキシブルシート、又は複数のヒンジドパネルから成るのが一般的である。そして、カーテンを巻き取るための回転シャフトが、例えば開口部の上などに配置されていたり、カーテンを持ち上げるためのストラップが設けられていたりする。一般に、カーテンは、少くとも１本の硬質バーによって補強されており、そのバーの両端は、カーテンのエッジ部分とともに、滑り溝の中を垂直方向（水平方向とすることもできる）にスライドする。
【０００３】
ある種の商品取扱ドアでは、ドアの頂上部において、両側面に１つずつのブラケットが配置されている。
【０００４】
こうしたドアの一例が、ＥＰ−０ ７１７ ８０７号の公報に開示されている。この例については、添付の図１に示してある。以下、この図を参照しながら説明する。開口部２は、壁１に形成されている。ドアはフレキシブルカーテン３を含み、当該カーテンは、開口部の上に配置されたシャフト４に巻き取られて上に上がる。ブラケットは各々、開口部の頂上部において、一方の側面に取り付けられている。この例では、ブラケット１０（左側の１０Ｇ及び右側の１０Ｄ）は、いずれもＬ字形をしており、壁に固定された第１のブランチと、第１のブランチに対して垂直な第２のブランチとから成る。左側ブラケット１０Ｇの第２ブランチ１０２Ｇは、第１シート１０３を保持している。右側ブラケット１０Ｄの第２ブランチ１０２Ｄは、第２シートを保持している。そして、シャフト４が、これら２つのシートによって保持されている。左側ブラケットがシートだけを保持しているのに対し、もう一方のブラケットは、シャフトに対する電気制御及び機械駆動を行う全ての部材も併せて保持している。それら部材とは、電動モータ１０４（普通、ブレーキ及びギアが含まれている）、ストローク完了ストップ１０５、各種のリレー及びその他の電気部材１０６である。ここに示すカーテンは、直接シャフト４に巻き上げることができる。
【０００５】
こうした種類のドアでは、ブラケットは、組み立てられたドアを固定する役割を果たすもので、壁の頂上部において両側面に取り付けられている。それらブラケットは、通常、金属のシートを折り曲げ、溶接することで作られる。こうした方法で製造される場合、細かい部分の精度には限界がある。そのため、ドアの組立ての際に、調整を行ったりドリルで穴を開け直したりするなどの作業が必要となることも多い。滑り溝５は開口部の両側面に配置され、上下するカーテンの両エッジを導くとともに、下がった状態にあるカーテンが受ける風あるい通風の圧力に対してカーテンを支える。特許公報 ＥＰ−０ ７１７ ８０７において、その滑り溝は、その頂上部分でブラケットに、最下部で床に、それぞれ固定されている。ブラケットには、他のいくつかの部材が、溶接またはネジやボルトなどの手段によって取り付けられている場合がある。そのような部材は、モータ又は巻き上げシャフト用を支えるためのベアリング（例えば、ボールベアリングやローラベアリング）を保持する役割を果たすこともある。シャフトの一端が事故で壊れてもシャフトが下に落ちないよう、留め部材を取り付けることも可能である。こうした留め部材については、特許公報ＥＰ−０ ５８６ ２７１に記載されている。また、カーテンのエッジが滑り溝から外れるようなことがあった場合に、それらを溝に差し込み直すのに役立つ部材も存在する。それらの部材は、ブラケットに取り付けられることもあれば、滑り溝を含むか形作っているドア側面の支柱に取り付けられることもある（特許公報ＥＰ−０ ４７６ ７８８参照）。さらに、ドアの頂上部に取り付けられ、カーテンが降り始める時点で、カーテンのエッジが確実に滑り溝の位置にくるように位置合わせをする部材も存在する。
【０００６】
その他の部材としては、ブラケットに取り付けられて、モータユニット、側面の支柱、滑り溝などとブラケットとを連結するものがある。
【０００７】
本発明の目的は、従来に比べ、より簡単で、より速く、また、より高精度で製造コストの低い多機能ブラケットを提供することである。
【０００８】
そのために、本発明によるブラケットは、フレキシブルなカーテンを巻き取る巻き上げシャフトを有する商品取扱ドアのための多機能ブラケットであって、壁に対して垂直なラディアルブランチ（１２、１１２）と、壁に当てられるフェースブランチ（１３、１１３）とを有し、当該ラディアルブランチ（１２、１１２）は、前記巻き上げシャフトのベアリングを保持するための補強材（２４、１２４）と、前記カーテンを滑り溝にガイドする２つの突起（４４および４５、１４４および１４５）と、前記２つの突起の上方に設けられた２つの再挿入ガイド（４６および４７、１４６および１４７）と、を有し、前記ラディアルブランチは、前記補強材と、前記２つの突起と、２つの再挿入ガイドとが一体に構成されていることを特徴とする。
【０００９】
一つの実施形態として、前記ラディアルブランチ（１２、１１２）は、ブラケットを滑り溝または支柱に固定することができるタブ（２６、１２７）を有することを特徴とする。
【００１０】
一つの実施形態として、前記ラディアルブランチ（１２、１１２）は、前記補強材（２４、１２４）内に開口するスロット（２３、１２３）を有することを特徴とする。
【００１１】
一つの実施形態として、前記ラディアルブランチ（１２、１１２）は、エッジに設けられた２つのストリップ（２１、２２）によってカバーを取り付けることができることを特徴とする。
【００１２】
一つの実施形態として、前記ラディアルブランチ（１２、１１２）は、前記シャフトが壊れた場合に当該シャフトを支えることができる留め部材（２５、１２５）を有することを特徴とする。
【００１３】
一つの実施形態として、前記留め部材（１２５）は、前記シャフトを回転させないようにすることができるキャッチ（１２６）を有することを特徴とする。
【００１５】
本発明のその他の特性及び効果は、非制限的な例として以下に示す説明を読み、添付の図面を参照すれば明らかとなるであろう。また、本発明の実装方法についても充分に理解することができるであろう。
【００１６】
ブラケット１０は、これが取り付けられる壁に対して垂直なラディアルブランチ１２と、壁に当てられるフェースブランチ１３とを有し、フェースブランチの穴３１及び３２にボルトを通すことで壁に固定することができる。
【００１７】
このブラケットは、多機能である点を特徴とする。そのために、以下に示す部材の全て又は一部を備える。
【００１８】
ラディアルブランチは、エッジに２つのストリップ２１、２２が設けられることで２つのＬ字状リムを形作っている。そのため、ドアに面する側では巻き上げシャフトを覆うカバーを取り付けることができ、ドアと反対の側では、モーターユニットを覆うカバーを取り付けることができ、少なくともドアの一方の側面において、ドアの反対側に電器設備を保持させることができる。
【００１９】
ラディアルブランチには、巻き上げシャフトを設置できるよう、スロット２３を設けることとしても効果的である。スロットのエンドウォールには、巻き上げシャフトと共に、ボールベアリング又はローラベアリングを保持するためのシートを形作る補強材２４を設けてある。
【００２０】
また、シートの下側には、シャフトの落下を防止する装置２５（例えば、特許公報ＥＰ−０ ５８６ ２７１に開示されているようなもの）を設けてもよい。また、壊れたシャフトが回転しないようにするキャッチを設けてもよい。
【００２１】
効果的な実施の形態としては、ブラケットはタブ２６を備える形で形成される。タブ２６の２つの穴２６Ａ、２６Ｂによってブラケットを滑り溝または支柱に固定することができる。図面に示すように、このタブの面は、壁に取り付けられるフェース面と平行になっている。ただし、こうした形に限定されるわけではない。
【００２２】
滑り溝については図示しないが、これは、滑り溝が本発明には含まれていないためである。その形状及び断面はどのようなものでも良い。また、通常、壁に平行な２つの面（図１では線２７及び２８で示すもの）を有し、これらは、巻き上げ軸の両側、さらに正確に言えば、前記カーテンが完全に上げられた状態でのカーテンの下側エッジの両側に位置する。いったん完全に引き上げられたカーテンを再び下に降ろす際にカーテンが正しく滑り溝に進入するよう、２つの突起４５及び４５が滑り溝の２つの壁に合わせて設けられている。一番上の位置から降り始めたカーテンは、頂上部面が丸みを帯びた前記２つの突起の間に進入し、その後、確実に滑り溝に入って下に降りていく。また、ブラケットは、再挿入ガイド４６，４７を備えることとしてもよい。これらは、それぞれが、いずれかの滑り溝の外壁の上方にあって、カーテンの表裏いずれかの側に突出している。これらについては、特に、特許公報ＥＰ−０ ４７６ ７８８に詳しく記載されている。図１に示すガイド４７の位置は、壁から遠い方の滑り溝の外面に対応するタブ２６に合わせた位置となっている。
【００２３】
モータ手段を固定する目的であれば、挿入部材は形成過程で設けることとすればよく、それによって、モータ手段の取り付けは簡単になる。
【００２４】
また、当該ブラケットを折り畳み型又は蛇腹型のドアに用いる場合は、ブラケットの形成の過程で、カーテンをつるす管を支える支持部材を設けることも可能である。
【００２５】
図４及び図５は、図２そして図３同様の図であり、同じようなブラケットを、より高い視点から見て示すことで、いくつかの詳細部分がより明瞭に見えるようにしてある。
【００２６】
ブラケット１１０もまた、固定壁に垂直なラディアルブランチ１１２と、壁に当てられるフェースブランチ１１３とを有し、フェースブランチの穴１３１、１３２及び１３３にボルトを通すことで壁に固定することができる。また、ブラケット１１０は、カバーを取り付けるための手段も備えている。すなわち、ブラケットにおいてドアに面する側に、巻き上げシャフトを覆うカバーを取り付けるためのストリップ１２２と、ドアと反対の側に、モーター及び他の付属品を覆い、保護するカバーを取り付けるためのストリップ１２１とである。ただし、ドアの反対側にあるブラケットについては、外部付属品を全く保持していないのであれば、このような外部ストリップは設けなくともよい。このラディアルブランチはまた、巻き上げシャフトを保持するスロット１２３を備えている。これは、シートを形成する円形補強部材１２４に保持されるベアリングを有する。シートの下には、留め部材１２５が設けられており、この部材は、ボールベアリングまたはローラベアリング内に位置している巻き上げシャフトの端部が事故で壊れてしまった場合に、このシャフトを支えるものである。キャッチ１２６は、シャフトの端部近くに設けられた類似又は同一のキャッチと協動して当該シャフトを回転させないようにすることでカーテンの落下を防ぐ。これについては、特許公報ＥＰ−０ ５８６ ２７１の中で既に開示、説明されている。
【００２７】
また、ブラケット１１０は、滑り溝固定手段を備えている。当該手段は、この例では、ボルトを通す穴１２８を備えたタブ１２７という形で実現されている。
【００２８】
また、図４及び図５に見られる通り、位置決め突起１４４及び１４５は、カーテンが引き上げられた時点で当該カーテンの下側エッジを含む垂直面をはさんで両側に設けられている。そして、前記下側エッジの位置は、突起位置よりも上にくる。これについては、特許公報ＥＰ−０ ４７６ ７８８（請求項９）において述べられている。また、図には再挿入ガイド１４６、１４７が見られるが、その機能についても前記特許公報に述べられている。
【００２９】
他の機能を有する部材、特に付属品を支持する部材（例えば、平衡ストラップ用のプーリ、カーテン吊り下げ用バーの支持部材など）を更に備えることとしてもよい。こうした機能部材は、適当な位置にリリーフ部品を配置したり、穴を設けたりすることで構成することが可能であり、所望の付属品を取り付けたホルダ、又は他の支持部材をボルトによって固定することができるようにする。
【００３０】
本発明のブラケットには、前もって、１回の操作で完成させておくことができるという効果がある。すなわち、何らかの適当な材料（アルミニウムなどの金属、プラスチック、あるいは合成物）から型を使って形成することもできるし、あるいは、スタンピングによって製造してもよい。こうした方法は非常に効果的だが、だからといって、製造法がこれらに限定される訳ではない。いずれにしても、全ての機能を有する形にした上で、ブラケットを組立サイトに提供することができれば、非常に効果的である。型を使って製造すれば、設計時の寸法が正確に守られることが保証でき、製造及び取り付けの総コストも低くてすむ。特別な種類のドアについては、使用する機能を選択することも可能である。実際のところ、型で作られた１以上の部材から成る１個の多機能部品が、ドアの取り付けに使われる。また、材料については、軽くて腐食しにくいものを選ぶのが効果的である。塗装については、製造作業中も保守作業においても不要である。部品は格納が容易であり、要望に応じて素早く提供できる。このように、効果、特にコスト面での効果は、非常に大きい。
【図面の簡単な説明】
添付図面は以下の通りである。
【図１】  両側面に従来の型のブラケットを備えた商品取扱ドアの正面図である。
【図２】  本発明の商品取扱ドア用固定ブラケット装置の実施の形態を示す斜視図であり、ドアの反対側から見た、ブラケットのドア側部分及び壁への固定面部分を示すものである。
【図３】  図１に示したのと同じ装置についての図であり、ブラケットのドア側部分を示すと共に、更に、固定壁の反対側の面を示している。
【図４】  図２と同じような形で、本発明のブラケットに係るもう一つの実施の形態を示す図である。
【図５】  図３と同じような形で、本発明のブラケットに係るもう一つの実施の形態を示す図である。
【図１】
0004421111.tif 000002
【図２】
0004421111.tif 000003
【図３】
0004421111.tif 000004
【図４】
0004421111.tif 000005
【図５】
0004421111.tif 000006